(57)【要約】      （修正有）【課題】拡声器のコスト及び体積を減少させながらも拡声器の性能を最大化するような方法で、空隙中で音声コイルの空隙及び相対距離を最小化する、閉鎖型薄膜を有する拡声器の組立方法を提供する【解決手段】閉鎖型薄膜を有する拡声器の組立方法であって、音声コイル２に固定された二つの調心装置３、３’を含む可動ユニットＡの事前組立ステップ、調心装置６によって可動ユニットを固定ユニット中に組付ける、磁気ユニット４に固定された籠状体５を含む固定ユニットＢの事前組立ステップ及び調心装置６を引抜いて閉鎖型薄膜を音声コイルと籠状体５とに固定するステップを有する。【選択図】図１４
2019080312.tif 000002
【特許請求の範囲】
【請求項１】
閉鎖型薄膜拡声器の組立方法であって:
少なくとも１本の巻線が巻回された（２１）円筒形支持体（２０）を含む音声コイル（２）を装着した可動ユニット（Ａ）を事前組立するステップ、
籠状体（５）及び磁心（４１）を有する下部極板（４０）を装着した磁気ユニット（４）を含む固定ユニット（Ｂ）を事前組立するステップであって、前記磁心を中心に配設された磁石（４２）、及び空隙（Ｔ）を生じるように前記磁石上に前記磁心を中心に配設された上部極板（４３）を装着した固定ユニット（Ｂ）を事前組立するステップ、
前記空隙中で前記音声コイルを調心するように、前記音声コイルの前記円筒形支持体（２０）中に挿入されると共に前記下部極板の前記磁心（４１）上に嵌合される円筒状形状の調心装置（６）を使用するステップ、
前記可動ユニット（Ａ）を前記固定ユニット（Ｂ）の前記籠状体（５）に接着するステップ、
前記音声コイルからの前記調心装置（６）を引抜くステップ、及び
閉鎖型薄膜（１００）の縁部（１１）を前記籠状体（５）に接着し、かつ前記閉鎖型薄膜（１００）の中央部分を前記音声コイルの前記円筒形支持体（２０）に接着するステップ、
を含み、
前記可動ユニット（Ａ）の前記事前組立体ステップは、第１の調心装置（３）及び第２の調心装置（３’）を前記可動コイルの前記円筒形支持体（２０）に固定することを含み;かつ
前記可動ユニット（Ａ）の前記固定ユニット（Ｂ）の前記籠状体（５）への前記接着ステップは、前記２つの調心装置（３、３’）が平行な面に沿って配設されて前記空隙（Ｔ）中での前記音声コイル（２）の調心を確実にすると共に前記磁心（４１）の外面と前記音声コイルの前記円筒形支持体（２０）の内面との間の第１の距離（Ｔ５）及び前記音声コイルの前記巻線（２１）の外面と前記上部極板（４３）の内面との間の第２の距離（Ｔ６）を最小化するように、前記第１の調心装置（３）及び前記第２の調心装置（３’）を前記籠状体に接着することを含む
ことを特徴とする方法。
【請求項２】
各調心装置（３、３’）は内側環部（３０）、外側環部（３１）、及び前記外側環部を前記内側環部に接続する複数の弾性要素（３２）を含み、
前記可動ユニット（Ａ）の前記事前組立体ステップは各調心装置（３、３’）の前記内側環部を前記可動コイルの前記円筒形支持体に固定することを含み;
前記可動ユニット（Ａ）の前記固定ユニットの前記籠状体（５）への前記接着ステップは、各調心装置（３、３’）の前記外側環部を前記籠状体の第１の環状肩部（５１）と第２の環状肩部（５２）とに接着することを含み;
前記籠状体の前記第１及び前記第２の環状肩部（５１、５２）は異なるレベルの平行な面に沿って配設される、請求項１に記載の方法。
【請求項３】
前記閉鎖型薄膜（１００）の前記縁部（１１）の前記籠状体（５）への接着は、前記閉鎖型薄膜の前記縁部（１１）を前記籠状体の第３の環状肩部（５３）に接着することを含み、前記籠状体の前記第１、前記第２、及び前記第３の環状肩部（５１、５２、５３）は異なるレベルの平行な面に沿って配設される、請求項２に記載の方法。
【請求項４】
閉鎖型薄膜を有する拡声器であって:
磁心（４１）を有する下部極板（４０）、前記磁心を中心に配設された磁石（４２）、及び空隙（Ｔ）を生じるように前記磁石上に前記磁心を中心に配設された上部極板（４３）を有する、磁気ユニット（４）、
前記磁気ユニット（４）に固定された、籠状体（５）、
少なくとも１本の巻線が巻回された（２１）円筒形支持体（２０）を含む音声コイル（２）であって、該円筒形支持体（２０）は貫通軸穴を有する、音声コイル（２）、
前記空隙（Ｔ）中で前記音声コイル（２）を調心するように、前記音声コイルの前記円筒形支持体（２０）と前記籠状体（５）とに直接固定された、第１の調心装置（３）、
一片体に作成され、かつ前記音声コイルの前記円筒形支持体（２０）に直接中心固定されると共に前記籠状体に固定された縁部（１１）に周辺固定されることにより、円筒形支持体（２０）の前記貫通軸穴を被覆する、一枚のみの閉鎖型薄膜（１００）、及び
前記２つの調心装置（３、３’）が 平行な面に沿って配設されるように前記音声コイルの前記円筒形支持体（２０）と前記籠状体（５）とに直接固定される第２の調心装置（３）であって、前記空隙（Ｔ）中での前記音声コイル（２）の調心を確実にすると共に前記磁心（４１）の外面と前記音声コイルの前記円筒形支持体（２０）の内面との間の第１の距離（Ｔ５）及び前記音声コイルの前記巻線（２１）の外面と前記上部極板（４３）の内面との間の第２の距離（Ｔ６）を最小化する、第２の調心装置（３）を含む拡声器。
【請求項５】
各調心装置（３、３’）は、内側環部（３０）、外側環部（３１）、及び前記外側環部を前記内側環部に接続する複数の弾性要素（３２）を含み;
各調心装置（３、３’）の前記内側環部は、前記可動コイルの前記円筒形支持体に固定され;
各調心装置（３、３’）の前記外側環部は、前記籠状体の第１の環状肩部（５１）と第２の環状肩部（５２）とに固定され;
前記籠状体の前記第１及び前記第２の環状肩部（５１、５２）は異なるレベルの平行な面に沿って配設される、請求項４に記載の拡声器。
【請求項６】
前記籠状体（５）は第３の環状肩部（５３）を含み、前記籠状体の前記第１、前記第２、及び前記第３の環状肩部（５１、５２、５３）は異なるレベルの平行な面に沿って配設される、請求項５に記載の拡声器。
【請求項７】
前記音声コイル（２）は±３ｍｍ未満の動程を有し;
前記第１の距離（Ｔ５）は０．２ｍｍ未満であり;かつ
前記第２の距離（Ｔ６）は０．３ｍｍ未満である、請求項４〜６のうちいずれか一項に記載の拡声器（１００）。
【請求項８】
前記音声コイル（２）は±３〜８ｍｍ未満の動程を有し;
前記第１の距離（Ｔ５）は０．２５ｍｍ未満であり;かつ
前記第２の距離（Ｔ６）は０．５ｍｍ未満である、請求項４〜６のうちいずれか一項に記載の拡声器（１００）。
【請求項９】
前記音声コイル（２）は±８〜２０ｍｍ未満の動程を有し;
前記第１の距離（Ｔ５）は０．３５ｍｍ未満であり;かつ
前記第２の距離（Ｔ６）は０．６ｍｍ未満である、請求項４〜６のうちいずれか一項に記載の拡声器（１００）。
【発明の詳細な説明】
【技術分野】
【０００１】
産業上の発明に対する本出願は、閉鎖型薄膜を有する拡声器及びその組立方法に関する。
【背景技術】
【０００２】
公知であるように、拡声器は少なくとも１本の巻線を有する円筒形支持体から成る音声コイルを備えている。音声コイルは薄膜に接続されている。環状縁部は薄膜を籠状体に外周で接続されている。音声コイルは磁界中で作動することにより薄膜を振動させて音を発生する。
【０００３】
一般に,薄膜は、開放状であり、音声コイルが挿入される軸穴を有する円錐台形状である。しかし、音声コイルの円筒形支持体を被覆する(軸穴の無い)閉鎖型薄膜を有する拡声器も提供されている。そのような場合、薄膜は、円錐台形状とは異なる形状、例えば、平坦状または円蓋状の薄膜等、とし得る。
【０００４】
以下の説明中、「上部の」及び「下部の」の用語は、図中での拡声器の配置をいう。組立後に、拡声器を任意の位置に配設し得ることは当然である。
【０００５】
図１は、薄膜１、音声コイル２、及び調心装置３を備えた拡声器の可動ユニットＡの分解組立図である。薄膜１は、開放型であって軸穴１０を有する円錐台形状である。縁部１１は薄膜１の外周に配設される。
【０００６】
図２を参照して、可動ユニットＡは組立前であり、音声コイル２を薄膜１と調心装置３とに接続している。固定ユニットＢは、磁気ユニット４及び籠状体５を備えている。固定ユニットＢもまた組立前である。
【０００７】
磁気ユニット４は:
磁心４１を有する下部極板(Ｔヨーク)４０
磁心４１を中心に配設された環状体形状磁石４２、及び
磁石４２上に磁心４１中心に配設された環状体形状の上部極板４３
を備える。
【０００８】
空隙Ｔは、磁心４１の外側面と上部極板４３の内側面との間の円筒状空間として画成される。空隙Ｔは、磁気流の誘導損失を回避するために可能な限り小さくなければならない。
【０００９】
可動ユニットＡは、磁気ユニットの空隙Ｔ中で音声コイル２を調心するような方法で、固定ユニットＢ中に装着される。磁気ユニットの空隙Ｔ４中での音声コイル２の正確な位置合せを確実にするために、円筒形状に折曲加工した半剛体材料薄板から概ね成る調心装置６が使用される。プラスチック製または金属製の剛性の円筒状要素も調心装置として使用可能である。
【００１０】
図３を参照して、調心装置６は、音声コイル２内に配設されると共に、空隙Ｔ中で音声コイル２を完全に調心するのを確実にするような方法で、磁気ユニットの磁心４１上に嵌合される。
【００１１】
調心装置３の外周部分及び薄膜の縁部１１は通常、接着剤によって籠状体５に接着される。空隙中での音声コイルの完全な調心を確実にするような方法で、可動ユニットＡが間隔を隔てた２つの接着面で固定ユニットＢに固定されることに留意すべきである。
【００１２】
接着剤の重合中は、調心装置６は、空隙Ｔ中で音声コイルの完全な調心を確実にするような方法で、音声コイル２内に維持される。
【００１３】
図４を参照して、接着剤の重合が完了したら、調心装置６は薄膜の軸穴１０を通して音声コイル２から抜き出される。
【００１４】
図５を参照して、薄膜の軸穴１０は薄膜または音声コイルの上縁部に着けた防塵円蓋１２により閉鎖される。
【００１５】
図６及び６Ａを参照して、音声コイル２は、円筒形支持体２０及び巻線２１を備える。第１の距離Ｔ１が磁心４１の外面と音声コイルの円筒形支持体２の内面との間に設けられる。第２の距離Ｔ２が音声コイルの巻線２１の外面と上部極板４３の内面との間に設けられる。
【００１６】
距離Ｔ１、Ｔ２は可能な限り小さくするべきだが、同時に音声コイル２は、発生音のひずみを回避するため、磁心４１または上部極板４２との接触を防止されなければならない。調心装置６により及び可動ユニットＡが籠状体に２つのレベルに固定されることにより、空隙Ｔ及びこれに伴う距離Ｔ１、Ｔ２は最小化され得る。
【００１７】
しかし、閉鎖型薄膜を有する(軸穴の無い)拡声器の場合には、薄膜が音声コイルの円筒形支持体の穴を完全に被覆して調心装置を音声コイルの円筒形支持体の頂部から抜き出し不可能になることから、閉鎖型薄膜を可動ユニット中で事前組立することはできない。
【００１８】
以下の説明では、上述の部品と同一または対応する部品には同一の数字を付してそれらの詳細な説明を省略することとする。
【００１９】
図７〜１１は閉鎖型薄膜１００を有する拡声器の組立方法を示す。そのような場合には、薄膜１００は、軸穴を設けられていなく、例えば、平坦状である。
【００２０】
図７を参照して、そのような場合には、組立前の可動ユニットＡは音声コイル２に固定する調心装置３のみを備えている。
【００２１】
図８及び９を参照して、調心装置６は、音声コイル２内に配設されると共に磁気ユニットの磁心４１上に嵌合され;その後、調心装置３の外周部分が籠状体５に接着される。
【００２２】
図１０を参照して、接着剤が重合した後、調心装置６は音声コイル２の頂部から抜き出される。
【００２３】
図１１を参照して、調心装置の引抜き後、薄膜１００を固定ユニットＢと音声コイル２とに固定し、薄膜の縁部１１を籠状体５に、薄膜の中央部分を音声コイルの上縁部に接着する。
【００２４】
しかし、その場合、音声コイル中での調心装置６の調心続行中、可動ユニットＡが固定ユニットＢに一接着レベルでのみ固定される。このため、調心させた音声コイルを、後続の調心装置６の抜出しステップ及び薄膜１００の固定ステップ中に空隙Ｔ中で維持するのは不可能である。このため、空隙Ｔは、開放型薄膜の拡声器の場合よりも大きくする必要がある。
【００２５】
図１２及び１２Ａを参照して、閉鎖型薄膜１００を有する拡声器の場合は、第１の距離Ｔ３が磁心４１の外面と音声コイルの円筒形支持体２の内面との間に設けられる。第２の距離Ｔ４が音声コイルの巻線２１の外面と上部極板４３の内面との間に設けられる。
【００２６】
しかし、閉鎖型薄膜を有する拡声器で得られる距離Ｔ３、Ｔ４は、開放型薄膜の拡声器で得られる距離Ｔ１、Ｔ２よりもかなり大きい。一般的には、閉鎖型薄膜を有する拡声器で得られる距離Ｔ３、Ｔ４は、開放型薄膜の拡声器で得られる距離Ｔ１、Ｔ２の少なくとも２倍である。閉鎖型薄膜及び音声コイルの高動程を有する拡声器に関して、距離Ｔ３、Ｔ４は、開放型薄膜の拡声器で得られた距離Ｔ１、Ｔ２の３倍より大きいと考えなければならない。
【００２７】
閉鎖型薄膜を有する拡声器に必要な距離Ｔ３、Ｔ４の増大は、空隙Ｔの寸法を増大させ、磁気流の誘導損失及び拡声器の性能低下を招く。
【００２８】
閉鎖型薄膜を有する拡声器が開放型薄膜を有する拡声器と同様の性能を有するためには、より大型の磁石を使用するか、または追加の磁石を、例えば、上部極板の磁心上等に、加えなければならず、拡声器のコスト及び体積を増大させる。
【００２９】
特許文献１は、３つの別個部分:
円筒形支持体の軸穴を被覆しないような方法で、音声コイルの円筒形支持体と籠状体への固定に好適な２つの調心装置とに固定される、開放円錐形状の中央部分;
薄膜の中央部分と籠状体に対する固定に好適な縁部とに固定される、開放円錐形状の外周部分;
及び外周薄膜に固定された、閉鎖平坦形状の上側部分、
で作製された薄膜を有する拡声器を開示する。
【００３０】
音声コイルの円筒形支持体に直接接続される薄膜の中央部分は、音声コイルの円筒形支持体の軸穴を覆わない。したがって、空隙中での音声コイルの調心に、調心装置(上述の調心装置６に類似)を使用可能である。実際、そのような調心装置は音声コイルの円筒形支持体の穴から抜出し可能であって、この後に薄膜の上側部分が薄膜中央部分に固定される。
【００３１】
特許文献２は、音声コイルの円筒形支持体の軸穴を被覆しないような方法で、音声コイルの円筒形支持体に直接固定される開放型薄膜を有する円錐形拡声器を開示する。
【先行技術文献】
【特許文献】
【００３２】
【特許文献１】欧州特許第１１７８７０３号明細書
【特許文献２】米国特許出願公開第２０１６／０１２７８３２号明細書
【発明の概要】
【発明が解決しようとする課題】
【００３３】
本発明の目的は、拡声器のコスト及び体積を減少させながらも拡声器の性能を最大化するような方法で、空隙中で音声コイルの空隙及び相対距離を最小化させ得る、閉鎖型薄膜を有する拡声器の組立方法として提供することにより、先行技術の欠点を除去することである。
【課題を解決するための手段】
【００３４】
これらの目的は、独立請求項の特徴を有する本発明により達成される。
【００３５】
本発明の好都合な実施形態は従属項から明らかとなる。
【００３６】
本発明に従った閉鎖型薄膜を有する拡声器の組立方法の特徴は、可動ユニットの事前組立体ステップが円筒形支持体に対する第１の調心装置及び第２の調心装置の音声コイルの固定を含むことにある。
【００３７】
更に、固定ユニットの籠状体に対する可動ユニットの接着するステップは、空隙中での音声コイルの調心を確実にすると共に磁心の外面と音声コイルの円筒形支持体の内面との間の第１の距離、ならびに音声コイルの巻線の外面と上部極板の内面と間の第２の距離を最小化させるために、２つの調心装置が平行な面に沿って配設されるような方法で第１の調心装置及び第２の調心装置を籠状体へ接着することを含む。
【００３８】
本発明の追加の特徴は、添付の図面に示した単に説明目的で非限定的な実施形態を参照する以下の詳細な説明から明らかとなるであろう。
【図面の簡単な説明】
【００３９】
【図１】図１は先行技術による開放型薄膜を有する拡声器の組立方法を示す軸方向概略図である。
【図２】図２は先行技術による開放型薄膜を有する拡声器の組立方法を示す軸方向概略図である。
【図３】図３は先行技術による開放型薄膜を有する拡声器の組立方法を示す軸方向概略図である。
【図４】図４は先行技術による開放型薄膜を有する拡声器の組立方法を示す軸方向概略図である。
【図５】図５は先行技術による開放型薄膜を有する拡声器の組立方法を示す軸方向概略図である。
【図６】図６は先行技術による組立状態の開放型薄膜を有する拡声器の軸方向概略図である。
【図６Ａ】図６Ａは図６の拡声器の細部拡大図である。
【図７】図７は先行技術による閉鎖型薄膜を有する拡声器の組立方法を示す軸方向概略図である。
【図８】図８は先行技術による閉鎖型薄膜を有する拡声器の組立方法を示す軸方向概略図である。
【図９】図９は先行技術による閉鎖型薄膜を有する拡声器の組立方法を示す軸方向概略図である。
【図１０】図１０は先行技術による閉鎖型薄膜を有する拡声器の組立方法を示す軸方向概略図である。
【図１１】図１１は先行技術による閉鎖型薄膜を有する拡声器の組立方法を示す軸方向概略図である。
【図１２】図１２は先行技術による組立状態の閉鎖型薄膜を有する拡声器の軸方向概略図である。
【図１２Ａ】図１２Ａは図１２の拡声器の細部拡大図である。
【図１３】図１３は本発明に従った閉鎖型薄膜を有する拡声器の組立方法を示す軸方向概略図である。
【図１４】図１４は本発明に従った閉鎖型薄膜を有する拡声器の組立方法を示す軸方向概略図である。
【図１５】図１５は本発明に従った閉鎖型薄膜を有する拡声器の組立方法を示す軸方向概略図である。
【図１６】図１６は本発明に従った閉鎖型薄膜を有する拡声器の組立方法を示す軸方向概略図である。
【図１７】図１７は本発明に従った閉鎖型薄膜を有する拡声器の組立方法を示す軸方向概略図である。
【図１８】図１８は本発明に従った組立状態の閉鎖型薄膜を有する拡声器の軸方向概略図である。
【図１８Ａ】図１８Ａは図１８の拡声器の細部拡大図である。
【発明を実施するための形態】
【００４０】
図１３を参照して、本発明によれば、可動ユニットＡは、音声コイル２の円筒形支持体２０に直接固定された、第１の調心装置３及び第２の調心装置３’を備える。そのような可動ユニットＡは、組立前である。
【００４１】
説明目的のために、各調心装置３、３’は内側環部３０、外側環部３１、及び外側環部を内側環部に接続する複数の弾性要素３２を備える。
【００４２】
図１４を参照して、各調心装置３、３’の内側環部３０は、調心装置３、３’が間隔を空けた２つの水平面に従って配置されるような方法で、接着剤で円筒形支持体２に固定される。
【００４３】
第１の調心装置３の外側環部は、第２の調心装置３’の外側環部より高い位置に直径を有する。
【００４４】
固定ユニットＢは組立前である。そのような固定ユニットＢは、従来型の固定ユニットと実質的に同様である。唯一の相違は、籠状体５が３つの異なる高さレベルに配設された３つの環状肩部５１、５２、５３;
第１の調心装置３の外側環部を受容する第１の環状肩部５１、
第２の調心装置３’の外側環部を受容する第２の環状肩部５２、及び
薄膜の縁部１１を受容する第３の環状肩部５３、
を備えていることで表される。
【００４５】
３つの環状肩部５１、５２、５３は、相互に平行な水平面に配設される。第３の肩部５３は、最も位置が高く直径が最も大きい。第２の肩部５２は最も位置が低く直径が最も小さい。
【００４６】
図１５を参照して、調心装置６は、音声コイルの円筒形支持体２０中に挿入されると共に下部極板の磁心４１上に嵌合される。
【００４７】
第１及び第２の調心装置３、３’の外側環部はそれぞれ、接着剤で籠状体の第１の環状肩部５１及び第２の環状肩部５２上に接着される。音声コイル２が、空隙Ｔ中で音声コイル２の完全な調心を確実にするような方法で、間隔を空けた２つの接着面で籠状体５に接続されることに留意すべきである。
【００４８】
図１６を参照して、接着剤が重合したら、調心装置６を音声コイル２の円筒形支持体の頂部から引抜いて取外す。
【００４９】
図１７を参照して、調心装置の引抜き後、薄膜の縁部１１を籠状体５の第３の肩部５３に、音声コイルの円筒形支持体２０の上縁部を薄膜１００の中央部分に接着することにより、薄膜１００を固定ユニットＢに固定する。したがって、薄膜１００は、音声コイルの円筒形支持体２０に直接固定され、これが音声コイルの円筒形支持体２０の軸穴を被覆して閉鎖型薄膜となる。拡声器が一片体に作製された一枚のみの薄膜１００しか備えないことに留意すべきである。
【００５０】
図１８及び１８Ａを参照して、本発明に従った閉鎖型薄膜を有する拡声器１００等の場合、第１の距離Ｔ５は磁心４１の外面と音声コイルの円筒形支持体２の内面との間に設けられ、第２の距離Ｔ６は音声コイルの巻線２１の外面と上部極板４３の内面との間に設けられる。
【００５１】
そのような場合、本発明に従った閉鎖型薄膜を有する拡声器で得られる距離Ｔ５、Ｔ６は、先行技術による閉鎖型薄膜を有する拡声器で得られる距離Ｔ３、Ｔ４よりかなり小さく、開放型薄膜の拡声器で得られる距離Ｔ１、Ｔ２と同等である。
【００５２】
以上に鑑みれば、本発明に従った閉鎖型薄膜を有する拡声器は、磁気ユニットの寸法及びコストが同一であれば、先行技術による閉鎖型薄膜を有する拡声器より良好な性能を保証し得る。
【００５３】
表１は、開放型薄膜の拡声器、先行技術による閉鎖型薄膜を有する拡声器、及び本発明に従った閉鎖型薄膜を有する拡声器中で、音声コイルの動程によりそれぞれ測定した距離Ｔ１,Ｔ２,Ｔ３、Ｔ４,Ｔ５,Ｔ６の値を示す。表中の全数値はミリメートルで表している。
【００５４】
「動程」の用語は、拡声器の定格電力に等しい電力で音声コイルの巻線に正弦波信号を印加した時の中央固定水平面に対する音声コイルの軸方向移動量を示す。
【００５５】
【表１】
2019080312.tif 000003
【００５６】
表１に示すように、本発明に従った閉鎖型薄膜を有する拡声器で得られた距離Ｔ５、Ｔ６は、先行技術による閉鎖型薄膜を有する拡声器で得られた距離Ｔ３、Ｔ４よりかなり小さく、開放型薄膜の拡声器で得られた距離Ｔ１、Ｔ２と同等である。
【００５７】
本発明に従った閉鎖型薄膜を有する拡声器と先行技術による閉鎖型薄膜を有する拡声器との差異は、音声コイルの動程が増大すると増大することにある。
【００５８】
音声コイルの動程が±３ｍｍ未満である本発明に従った拡声器は、第１の距離Ｔ５が０．２ｍｍ未満であり第２の距離Ｔ６が０．３ｍｍ未満である。
【００５９】
音声コイルの動程が±３〜８ｍｍの範囲にある本発明に従った拡声器は、第１の距離Ｔ５が０．２５ｍｍ未満であり第２の距離Ｔ６が０．５ｍｍ未満である。
【００６０】
音声コイルの動程が±８〜２０ｍｍの範囲にある本発明に従った拡声器は、第１の距離Ｔ５が０．３５ｍｍ未満であり第２の距離Ｔ６が０．６ｍｍ未満である。
【００６１】
本発明の以上の実施形態に対して多数の均等な変形及び改変を行い得るが、それらは当業者の能力範囲内にあり、いかなる場合にも添付の請求項により開示された本発明の適用範囲内に収まる。
【図１】
2019080312.tif 000004
【図２】
2019080312.tif 000005
【図３】
2019080312.tif 000006
【図４】
2019080312.tif 000007
【図５】
2019080312.tif 000008
【図６】
2019080312.tif 000009
【図６Ａ】
2019080312.tif 000010
【図７】
2019080312.tif 000011
【図８】
2019080312.tif 000012
【図９】
2019080312.tif 000013
【図１０】
2019080312.tif 000014
【図１１】
2019080312.tif 000015
【図１２】
2019080312.tif 000016
【図１２Ａ】
2019080312.tif 000017
【図１３】
2019080312.tif 000018
【図１４】
2019080312.tif 000019
【図１５】
2019080312.tif 000020
【図１６】
2019080312.tif 000021
【図１７】
2019080312.tif 000022
【図１８】
2019080312.tif 000023
【図１８Ａ】
2019080312.tif 000024
【外国語明細書】
2019080312000001.pdf